(57)【要約】  放出する磁力線に加えて更なる健康増進のための機能を持ち、人体に優しい磁気健康装身具を提供する。この磁気健康装身具１は、複数の珠２が紐３を通され数珠繋ぎにされたリング形状のものにおいて、珠２は、紐が通される貫通孔２１ａが設けられたマグネット２１と、炭素の結晶構造が形成されて全体が一体的に形成された炭素焼成体２３の周囲にコーティング層２４が設けられたものであり、炭素焼成体２３にはマグネット２１が収容されるマグネット収容孔２３ａが設けられたマグネット収容体２２と、が合体した合体珠である。
2017126557.tif 000002
【特許請求の範囲】
【請求項１】
複数の珠が紐を通されて数珠繋ぎにされたリング形状の磁気健康装身具において、
少なくとも１個の珠は、
前記紐が通される貫通孔が設けられたマグネットと、
炭素の結晶構造が形成されて全体が一体的に形成された炭素焼成体の周囲にコーティング層が設けられたものであって、該炭素焼成体には前記マグネットが収容されるマグネット収容孔が設けられたマグネット収容体と、が合体した合体珠であることを特徴とする磁気健康装身具。
【請求項２】
請求項１に記載の磁気健康装身具において、
前記複数の珠は、前記合体珠と、その両側に位置し、直径が該合体珠よりも小さく、かつ、前記マグネットの直径よりも大きい小珠と、を有する構成であることを特徴とする磁気健康装身具。
【請求項３】
請求項１又は２に記載の磁気健康装身具において、
前記複数の珠は、前記合体珠が全周にわたって設けられていることを特徴とする磁気健康装身具。
【発明の詳細な説明】
【技術分野】
【０００１】
本発明は、ネックレスやブレスレットなどのリング形状の磁気健康装身具に関する。
【背景技術】
【０００２】
従来より、ネックレスやブレスレットなどのようなリング形状にマグネット（永久磁石）を配置した磁気健康装身具は、それから放出する磁力線により健康を増進するものとして広く使用されている。このような磁気健康装身具は、マグネットをマグネット収容体に収容した構成のものが少なくない。【０００３】
特許文献１には、マグネット収容体（カプセル）を磁性体とし、マグネット収容体内でマグネットが動くことができるようにして、マグネットが動く度に、マグネット収容体の外側に磁気誘導現象によって新たに磁力線が生じるようにしたものが開示されている。特許文献２には、マグネット収容体（カプセル）を金属材料とし、マグネット収容体とマグネットの間にマグネットを保持するようなスペーサを設けたものが開示されている。特許文献３には、マグネット収容体（筒状小片）をステンレス鋼などの非磁性又は弱磁性材料とし、マグネットの着磁方向を隣接するもの同士の間に磁気的な吸引力が作用するようにしたものが開示されている。【０００４】
このような従来の磁気健康装身具は、マグネット収容体の形状によって色々な装飾が可能であり、また、マグネット収容体は一般に金属材料を用いてマグネットからの磁力線が弱くならないようにしている。
【先行技術文献】
【特許文献】
【０００５】
【特許文献１】特開２００３−２３５６２０号公報
【特許文献２】特開２００５−１３１１２０号公報
【特許文献３】特開２０１５−１２３１０７号公報
【発明の概要】
【発明が解決しようとする課題】
【０００６】
しかしながら、マグネット収容体は、人体に接する部品であるため、健康増進のために、磁力線とは別の機能を持たせることが可能であり、また、人体に優しく、例えば、軽くて金属アレルギーなどの問題点がないことが望まれる。【０００７】
本発明は、係る事由に鑑みてなされたものであり、その目的は、放出する磁力線に加えて更なる健康増進のための機能を持ち、人体に優しい磁気健康装身具を提供することにある。
【課題を解決するための手段】
【０００８】
上記目的を達成するため、本発明の実施形態に係る磁気健康装身具は、複数の珠が紐を通されて数珠繋ぎにされたリング形状の磁気健康装身具において、少なくとも１個の珠は、前記紐が通される貫通孔が設けられたマグネットと、炭素の結晶構造が形成されて全体が一体的に形成された炭素焼成体の周囲にコーティング層が設けられたものであって、該炭素焼成体には前記マグネットが収容されるマグネット収容孔が設けられたマグネット収容体と、が合体した合体珠であることを特徴とする。【０００９】
好ましくは、前記複数の珠は、前記合体珠と、その両側に位置し、直径が該合体珠よりも小さく、かつ、前記マグネットの直径よりも大きい小珠と、を有する構成である。【００１０】
好ましくは、前記複数の珠は、前記合体珠が全周にわたって設けられている。
【発明の効果】
【００１１】
本発明によれば、放出する磁力線に加えて更なる健康増進のための機能を持ち、人体に優しい磁気健康装身具を提供することができる。
【図面の簡単な説明】
【００１２】
【図１】本発明の実施形態に係る磁気健康装身具の概略平面図である。
【図２】同上の磁気健康装身具を構成する合体珠を示すものであって、（ａ）は拡大正面図、（ｂ）は拡大側面視断面図（Ａ−Ａ線で切断した断面図）、（ｃ）は紐が通った状態の拡大側面視断面図である。
【図３】同上の磁気健康装身具を構成する合体珠のマグネットを示す斜視図である。
【図４】同上の磁気健康装身具を構成する合体珠のマグネット収容体を示す拡大側面視断面図である。
【図５】同上の磁気健康装身具を変形したものの概略平面図である。
【図６】図５の磁気健康装身具を変形したものの合体珠と小珠を示す拡大側面視断面図である。
【発明を実施するための形態】
【００１３】
以下、本発明を実施するための形態を図面を参照しながら説明する。図１は本発明の実施形態に係る磁気健康装身具１の概略平面図である。この磁気健康装身具１は、複数の珠２を数珠繋ぎにして形成したリング形状のものである。複数の珠２は、紐３（図２（ｃ）参照）が通され、その紐３の端が結ばれてリング形状を成すことになる。紐３は、従来からの磁気健康装身具で用いられている各種のもの（例えば、直径約１ｍｍ程度のチタン製のワイヤなど）が適用でき、特に限定はされない。
【００１４】
珠２は、図２（ａ）〜（ｃ）に示すように、マグネット２１とマグネット収容体２２とが合体した合体珠である。
【００１５】
マグネット２１は、柱状（通常は、円柱状）のものであり、軸線に沿って後述する紐３が通される貫通孔２１ａが設けられている。マグネット２１は、図３に示すように、片方の半円柱がＮ極、もう片方の半円柱がＳ極に着磁されたものとなっている。マグネット２１は、小さい体積に比して強力な磁気を有するもの（例えば、ネオジウム磁石）が好ましい。マグネット２１のサイズは、例えば、直径約２ｍｍ〜約４ｍｍ程度、長さ約５ｍｍ〜約１５ｍｍ程度である。ネオジウム磁石を用いる場合は、磁気健康装身具１が常時人体に装着される場合もあることから、マグネット２１は、ダイヤモンド・ライク・カーボン又はメッキなどでコーティングされているのが特に好ましい。
【００１６】
マグネット収容体２２は、図４に示すように、炭素の結晶構造が形成されて全体が一体的に形成された（全体が一体化している）炭素焼成体２３の周囲にコーティング層２４が設けられたものである。炭素焼成体３の結晶構造は、高密度で整った構造である。炭素焼成体２３は、マグネット２１が収容されるマグネット収容孔２３ａが設けられている。コーティング層２４は、ダイヤモンド・ライク・カーボン又は樹脂などの薄膜（例えば、膜厚が約１０μｍ程度）である。マグネット収容体２２は、多くの場合、球形であるが、紡錘形や円柱形など他の形状も可能である。マグネット収容体２２のサイズは、例えば、直径約５ｍｍ〜約１５ｍｍ程度である。
【００１７】
炭素焼成体２３は、以下のようにして製造することができる。すなわち、黒鉛、又は竹炭などの炭化物の炭素粉にピッチ（コールタールピッチ等）などをバインダとして加えて固め、水圧による全方向からの加圧などにより、所定の塊（例えば方形もの）に加圧成形する。次に、その塊を酸素が欠乏した状態で約１２００℃程度で焼成する。このとき、その塊の内部には多数の小さな空隙が生じるので、ピッチ（コールタールピッチ等）を含浸させ、再焼成する。このピッチの含浸と再焼成は、通常、複数回行われる。それから、その塊を更なる高温（例えば、２０００〜３０００℃程度）で焼成する。そうすると、結晶化（黒鉛化）によって、その塊は、高密度で整った結晶構造を有して全体が一体化したものとなる。なお、加圧成形のときに水圧によって全方向から加圧した場合は、結晶化の方向が偏らないものとすることができる。その後、加熱を止めてさまし、複数個に分離し、マグネット収容体２２の形状に加工する。この炭素焼成体２３は、バインダが揮発しているので、ほぼ１００％（９９％以上）が炭素材となっている。また、かさ密度（かさ比重）は、１．７７Ｍｇ／ｍ３以上とすることができる。
【００１８】
マグネット収容体２２は、そのほぼ全部の体積を構成する炭素焼成体２３が炭素材であるため、極めて軽量である。炭素材は、人体への安全性が高く、金属アレルギーなどの問題点もない。このように、マグネット収容体２２（ひいては磁気健康装身具１）は、人体に優しい。マグネット収容体２２は他のもの（他の珠など）と接触したり落下等で不意に何かに衝突したりすることもあり、そのようなときでも、マグネット収容体２２は、硬く十分な物理的強度を有しており、破損し難い。
【００１９】
このような構成の珠２は、マグネット２１から放出する磁力線により健康を増進する。更に、珠２は、マグネット収容体２２のほぼ全部の体積が炭素材であるので、温度に応じた多量の遠赤外線を放射し、磁気健康装身具１を装着した者の皮下組織、血管などに作用して血流を改善し、もって健康増進に寄与する。なお、珠２は、マグネット収容体２２が接する人体など周囲の温度に追従した温度である。また、珠２は、マグネット収容体２２を介して磁力線が放出されており、マグネット収容体２２のサイズによっては磁力線の強度がマグネット収容体２２によって減ずることも有り得るが、その場合、大きな磁気を有するマグネット２１を用いることで所望の磁力線の強度を容易に得ることができる。
【００２０】
磁気健康装身具１は、珠２の他に、図５に示すように、その両側に位置する小珠の珠２’を有する構成とすることができる。珠２’は、図６に示すように、その直径が珠２の直径よりも小さく、かつ、マグネット２１の直径よりも大きい。珠２’は、それ自体で磁気健康装身具１の美観を増すことができるとともに、マグネット２１とマグネット収容体２２の境目を外部から見え難くして美観が減ずることのないようにできる。珠２’は、例えば、貴金属などの宝石を用いることができるが、限定はされない。珠２と珠２の間の珠２’は、複数個又は複数種類有ってもよい。珠２’は、小珠なので、貴金属であっても磁気健康装身具１全体としてさほど重くはならない。
【００２１】
磁気健康装身具１は、それに使用される珠２の数については、嗜好又は使用部位（首、腕など）に応じて任意に決められる。また、磁気健康装身具１を形成する複数の珠のうち少なくとも１個を上述した珠２として、残りの珠を他の構造のものとすることも可能である。但し、複数の珠は、珠２が全周にわたって設けられていることが好ましい。すなわち、例えば、図１に示したように、全ての珠を珠２とするか、或いは、図５に示したように、全ての珠を珠２又は珠２’とするのが好ましい。そうすると、磁気健康装身具１が元々装着した位置から回転したとしても、変わらない効果を得ることができる。なお、全ての珠を珠２としても、珠２（マグネット収容体２２）が軽量であるので、磁気健康装身具１全体として重くはならない。
【００２２】
以上、本発明の実施形態に係る磁気健康装身具について説明したが、本発明は、実施形態に記載したものに限られることなく、請求の範囲に記載した事項の範囲内でのさまざまな設計変更が可能である。
【符号の説明】
【００２３】
１    磁気健康装身具
２    珠（合体珠）
２’  珠（小珠）
２１  マグネット
２１ａ  マグネットの貫通孔
２２  マグネット収容体
２３  炭素焼成体
２３ａ  マグネット収容孔
２４  コーティング層
３    紐
【図１】
2017126557.tif 000003
【図２】
2017126557.tif 000004
【図３】
2017126557.tif 000005
【図４】
2017126557.tif 000006
【図５】
2017126557.tif 000007
【図６】
2017126557.tif 000008
【国際調査報告】
2017126557.tif 000009
2017126557.tif 000010
2017126557.tif 000011